(57)【要約】  本発明は、分配すべき流体を収容するのに適した密封シェル（２）を有すると共に流体を分配するための手段（３０）を備えた、流体、特に液体石鹸のディスペンサー（１）に関し、シェル（２）はユーザーが手を洗う際に手の間に保持するのに適した形と寸法を有し、分配手段（３０）は、流体がシェルから流出するのを妨げる静止位置とユーザーが手洗い中に手で押した時に流体が流出できるようにする作動位置との間で移動できるようにシェル（２）上に取付けられていることを特徴とする。【選択図】図２
2010526622.tif 000002
【特許請求の範囲】
【請求項１】
分配すべき流体を収容するように適合され、周囲接合平面（５）に沿って流体が漏れない状態で互いに連結された二部分（１０、２０）からなり、且つユーザーが手を洗う際に手の中に保持できるように適合された寸法を有する、密閉ケース（２）と、
流体がケースから流出するのを妨げる静止位置とユーザーが洗浄中に手で押した場合に流体が流出できるようにする作動位置との間で移動できる様にケース（２）上に取付けられた流体分配手段（３０）であって、ケース（２）の少なくとも一部分（１０；２０）上に配置され、ケースの外側表面（１１；２１）から局所的に突出しており、ケース（２）の壁に形成された出口オリフィス（１２）と密に係合する少なくとも１個の閉止弁（３１）を含み、この閉止弁（３１）は、流体遮断状態から流体分配状態へと移行するように軸方向に移動可能であり、出口オリフィス（１２）の周囲表面（１３）がこの目的のため、ケース（２）の内側から外側に向かって狭まる円錐形断面を有しており、閉止弁（３１）は、遮断状態において流体が漏れない状態を形成するように相補的形状を有している流体分配手段と、
を含む、流体、特に液体石鹸のディスペンサー（１）において、
閉止弁（３１）はボール（３９）を含み、このボール（３９）は、出口オリフィス（１２）の周囲表面（１３）に当接している第１の部分（３９ａ）と、出口オリフィス（１２）が設けられた部分（１０）と反対側のケースの部分（２０）の内側表面（２５）上に突出したソケット（６０）内に心出しされた状態で収納された圧縮バネ（３４）上に載った第２の部分（３９ｂ）とを有し、バネ（３４）がボール（３９）に対し軸方向圧力を加えて、それを出口オリフィス（１２）の周囲表面に押しつけていることを特徴とする流体ディスペンサー。
【請求項２】
ボール（３９）の第２の部分（３９ｂ）は、中空ピストン（９０）の半球形部分の上に載っており、この中空ピストンは、ソケット（６０）により軸方向に案内されるバネ（３４）によって支持されると共に、滑動可能にソケット（６０）を取り囲んでいることを特徴とする請求項１に記載のディスペンサー。
【請求項３】
半球形部分（９２）の底面には圧縮バネ（３４）と同軸のオリフィス（９２ａ）が設けられていることを特徴とする請求項２に記載のディスペンサー。
【請求項４】
ボール（３９）は、ケース（２）の中に収容されたマッサージ用液状製品と協働してマッサージ機能を果たすように寸法決定されていることを特徴とする請求項１〜３のいずれか一項に記載のディスペンサー。
【請求項５】
出口オリフィス（１２）は、その対称軸と約４５°の角度を成す円形周囲表面を有することを特徴とする請求項１〜４のいずれか一項に記載のディスペンサー。
【請求項６】
第１のソケット（５０）が、分配手段（３０）を備えたケース部分（１０）の内側表面（１５）上に突出し、且つ多角形内側断面をもつ自由端部（５３）と、この端部と反対側のねじが設けられた部分とを有し、この部分には、ケース部分を相互に固定するねじ（５５）が収容されていることを特徴とする請求項１〜５のいずれか一項に記載のディスペンサー。
【請求項７】
第２のソケット（７０）が、第１のソケット（５０）と同軸に、他方のケース部分（２０）の内側表面（２５）上に突出すると共に、第１のソケット（５０）の端部（５３）と滑動する形で協働する多角形外側断面をもつ自由端部（７３）を有し、固定用ねじ（５５）が貫通していることを特徴とする請求項６に記載のディスペンサー。
【請求項８】
第２のソケット（７０）は、ケース（２）の外側に通じる収納部（２６）を有し、この収納部の中には対応するケース部分（２０）の外側表面（２１）上に突出することなくねじ（５５）の頭部（５７）が収容され、この収納部（２６）が取外し可能な蓋（２７）で塞がれていることを特徴とする請求項７に記載のディスペンサー。
【請求項９】
充填用オリフィスが流体分配手段（３０）の反対側に配置され、取外し可能な密封蓋（８０）で塞がれていることを特徴とする請求項１〜８のいずれか一項に記載のディスペンサー。
【請求項１０】
金属、ガラス、セラミクス及びプラスチック材料から成る群から選択された成形材料で作られており、固形石鹸の形を呈することを特徴とする請求項１〜９のいずれか一項に記載のディスペンサー。
【発明の詳細な説明】
【技術分野】
【０００１】
本発明は液体石鹸ディスペンサーに関する。
【背景技術】
【０００２】
現在、人が自分の体、特に手を洗うための方法には種々のものがある。
【０００３】
第１の方法は、固形石鹸等の固形で乾燥した石鹸を使うことであり、好ましくは水に漬けた手の間で石鹸をこすり合わせる。手が石鹸の泡で覆われたら、固形石鹸を洗面台の縁に置くか、適切な石鹸保持台に入れる。この場合、固形石鹸は水たまりの中に置かれることが多く、石鹸が柔らかくなり、その品質が急激に損なわれてしまう。見た目もあまり良くないペースト状の残留物が石鹸保持台にたまってその底に付着してしまい、頻繁に取り除くことが必要となる。
【０００４】
また、手を濡らして固形石鹸に擦りつけると、石鹸は汚れた泡で覆われることが多い。従って、その固形石鹸の外観も魅力のないものになる。衛生面から見ると、汚れた固形石鹸で手を洗う次の人はこの汚れで部分的に覆われることになる。細菌も人から人へと容易に運ばれる可能性がある。
【０００５】
最後に、固形石鹸の主な欠点は、時間と共に急速に磨り減り、乾燥し、そしてひびがはいることである。或る大きさより小さくなると、使用が困難になるか、場合によっては使用不可能になって捨てられることになり、あまり経済的でない。
【０００６】
２番目の方法は、可搬式又は洗面台の直ぐ近くの壁に固定される液体石鹸ディスペンサーを使用することである。一般に、これらの装置は、充填用の開口部を備えた補充可能な容器と、液体石鹸を小出しにするために人によって操作されるポンプとを有している。しかし、これらのポンプは、特に濡れた手で操作するのが困難な場合が多い。手を水に浸した後でポンプを操作すると、水に浸している間に浮き出した汚れ（脂、土等）がポンプの上に堆積し、これを使用毎に取り除かない限り、あまり魅力的でなく、衛生的でもない。
【０００７】
この形式の装置は、制御できない量の液体石鹸を放出するポンプによって作動されるため、液体石鹸が必要以上に使われる。
【０００８】
使用後、ポンプの噴出口から、液体石鹸の滴が洗面台の縁の上に落ちて広がるので、余分な清掃（水洗い及び拭き取り）が必要となる。
【０００９】
最後に、この形式の装置への液体石鹸の補充は、ポンプをそのまま使い、新しい予め充填された容器を毎回購入しない限り面倒な場合が多く、新しい予め充填された容器を毎回購入することは、非常に費用がかかるだけでなく、環境にもあまり優しくない。
【発明の概要】
【発明が解決しようとする課題】
【００１０】
従って、本発明の目的は、実施が容易で、信頼性が高く、そして安価な解決策によって上記の問題を解決することにある。
【課題を解決するための手段】
【００１１】
従って、本発明の主題は、特に液体石鹸のための流体ディスペンサーであり、このディスペンサーは、分配すべき流体を収容するのに適した密閉ケースを有し、流体を分配するための手段を備えており、ケースは、ユーザーが手を洗う際に手の中に保持できる形と寸法を有し、分配手段はケースに取付けられ、流体がケースから流出するのを防ぐ静止位置と、ユーザーが洗浄中に分配手段に手を押し付けた時に流体が流出できるようにする作動位置との間で移動できることを特徴とする。
【００１２】
種々の好適な実施形態によれば、本発明によるディスペンサーは、次の特徴の内の少なくとも一の特徴を有している：
‐  ケースは、周囲接合平面に沿って流体が漏れない状態で互いに連結された２部分から作られている；
‐  分配手段は、ケースの少なくとも一部分の上に設けられており、ケースの外側表面から局所的に突出している；
‐  分配手段は、ケースの壁に形成された出口オリフィスと密に係合する少なくとも１個の閉止要素を含み、この閉止要素は、流体遮断状態から流体分配状態へと移行するように軸方向に移動可能である；
‐  出口オリフィスの周囲表面はケースの内側から外側に向かって狭まる円錐形断面を有しており、閉止要素は、遮断状態において流体が漏れない状態を形成するように相補的形状を有している；
‐  閉止要素はマッシュルーム形状であり、ケース内に位置し頭部まで軸方向に延在する軸部を有し、頭部は閉止手段が静止位置にあるときにオリフィスの周囲表面に当接しており、前記軸部は、頭部を前記周囲表面の押し付けるために頭部に軸方向圧力を加える圧縮バネによって取り囲まれている；
‐  ケースは、各閉止要素の軸部を保持すると共に軸方向に案内する開口部が設けられた支持プレートを有している；
‐  対応する閉止要素の軸部を心出しするために開口部と同軸にプレートの下側にリングが固定されている；
‐  ディスペンサーは、ケースの各部分の内側表面から突出する２個のねじ付き同軸ソケットを有し、ケースの外側から接近できるねじによって、これらのソケットの間に支持プレートが固定されている；
‐  一方のソケットの自由端には、前記ソケットの表面に形成された凹部と係合する支持プレートを心出しするための突起が設けられている；
‐  支持プレートは十字形状で、十字の各腕の端部に開口部が設けられている；
‐  出口オリフィスが設けられた部分と反対側のケースの部分は、その内側表面に、前記閉止要素の軸部を保持すると共に摺動可能に案内する中空のソケットを有し、圧縮バネはソケットの自由端とそれに対向する頭部の面との間で圧縮されている；
‐  閉止要素はボールを含み、このボールは、出口オリフィスの周囲表面に当接している第１の部分と、出口オリフィスが設けられた部分と反対側のケースの部分の内側表面から突出したソケット内に心出しされた状態で収納された圧縮バネ上に載った第２の部分とを有し、バネは、出口オリフィスの周囲表面にボールを押し付けるためにボールに対して軸方向圧力を加える；
‐  ボールの第２の部分は、中空ピストンの半球形部分の上に載っており、この中空ピストンは、滑動できるようにソケットを取り囲むと共に、前記ソケットにより軸方向に案内されたバネに当接している；
‐  半球形部分の底面には圧縮バネと同軸のオリフィスが設けられている；
‐  ボールは、ケース内に収容されたマッサージ用液状製品と協働してマッサージ機能を果たすのに適切な寸法である；
‐  閉止要素はシリンダーを形成しており、このシリンダーは、出口オリフィスの周囲表面に当接するのに適した丸みのある頭部と、圧縮バネの一方の端部を支持する筒部とを有し、圧縮バネの他方の端部は、出口オリフィスが設けられた部分と反対側のケースの部分に接続されたソケット内に心出しされた状態で保持されている；
‐  閉止要素の筒部はソケットの周りに取り付けられると共にソケットによって軸方向に案内されている；
‐  出口オリフィスは、その対称軸と約４５°の角度を成す円形周囲表面を有する；
‐  第１のソケットが、分配手段の設けられたケースの部分の内側表面から突出していると共に、多角形内側断面を有する自由端部と、この端部と反対側のねじ付き部分とを有し、このねじ付き部分が、ケース部分を相互に固定するためのねじを保持している；
‐  第２のソケットが、ケースの他方の部分の内側表面から第１のソケットと同軸に突出し、その自由端部が多角形外側断面を有すると共に、第１のソケットの端部と滑動可能に係合しており、固定用のねじが第２のソケットを貫通している；
‐  第２のソケットは、ケースの外側に収納開口部を有し、この収納開口部内に、対応するケース部分の外側表面から突出することなくねじの頭部が保持され、この収納部は取外し可能な蓋で閉止されている；
‐  充填用オリフィスが流体分配手段の反対側に配置され、取外し可能な密封蓋で閉止されている；
‐  ディスペンサーは、金属、ガラス、セラミクス及びプラスチック材料から成る群から選択された鋳造又は成形材料で作られており、固形石鹸の形を有している。
【００１３】
以下、添付の図面に示された例示だけのために提供される特定の実施形態を参照して本発明をより詳細に説明する。
【図面の簡単な説明】
【００１４】
【図１】本発明によるディスペンサーの斜視図である。
【図２】ディスペンサーの第１の実施形態を示す、図１のＩＩ−ＩＩ線上での断面図である。
【図３】使用位置にある図２の詳細図である。
【図４】閉止要素の詳細図である。
【図５】閉止要素支持プレートの平面図である。
【図６】ディスペンサーケースの第１部分の断面図である。
【図７】ディスペンサーケースの第２部分の断面図である。
【図８】本発明によるディスペンサーの第２の実施形態の断面図である。
【図９】図８の正面図である。
【図１０】ディスペンサーの底面図である。
【図１１】閉止要素の第２の実施形態の詳細断面図である。
【図１２】閉止要素の第３の実施形態の詳細断面図である。
【図１３】本発明の他の変形例の矢印Ａ（図１４）方向に見た内部図である。
【図１４】本発明の他の変形例の断面図である。
【図１５】本発明の他の変形例の詳細図である。
【発明を実施するための形態】
【００１５】
図１は、例えば、浴室、台所又はトイレで使用するための液体石鹸ディスペンサー１を示す。この石鹸ディスペンサー１は固形石鹸の形と寸法を有しており、手で容易に扱うことができる。典型的には、長さが約５〜１０センチ、幅が約３〜６センチ、厚さが約１〜３センチの丸石の形状をしている。
【００１６】
石鹸ディスペンサー１は、例えば、アルミニウム又はステンレス鋼等の金属、ガラス、セラミック及びプラスチックから成る群から選択される鋳造又は成形材料から作られる。
【００１７】
ディスペンサー１は、分配すべき液体石鹸を収容するのに適した気密ケース２を有している。このケース２は、実質的に同じ寸法で、周囲接合中間面５で互いに接合された２個の半体シェル１０及び２０から構成されている。
【００１８】
図２と図３にも示すように、第１半体シェル１０の外側表面ｌｌは石鹸分配手段３０を有している。この石鹸分配手段３０は、流体がケースから流出するのを防ぐ静止位置（図２）と、ユーザーが洗浄中に分配手段に手を押し付けた時に流体が流出できるようにする作動位置（図３）との間で移動できるように第１半体シェル１０に取り付けられている。
【００１９】
より正確には、各石鹸分配手段３０は、第１半体シェル１０の壁を貫通して形成された出口オリフィス１２に密に係合している少なくとも１個の閉止要素３１を有している。
【００２０】
図２〜図７に示す第１の実施形態によれば、閉止要素３１はマッシュルーム形状であり、ケース２内に位置し頭部３３まで軸方向に延在する軸部３２を有し、頭部３３は、閉止手段３０が静止位置にあるときに出口オリフィス１２の周囲表面１３に当接している。
【００２１】
特に図３及び図６において見られるように、出口オリフィス１２の周囲表面１３はケース２の内側から外側に向かって狭まる円錐形断面を有しており、閉止要素３０は、遮断状態において流体が漏れない状態を形成するように相補的形状を呈している。本実施形態においては、円形周囲表面１３は、出口オリフィス１２の対称軸に対して４５°の角度を成している。
【００２２】
頭部３３の一部は第１半体シェル１０の外側表面ｌｌから数ミリ局所的に突出しており、頭部３３はユーザの手によって動かすことができる。軸部３２は圧縮バネ３４によって取り囲まれており、この圧縮バネ３４は、図２に示すように、オリフィス３２の周囲表面１３に対して頭部３３を押し付けるために頭部３３に軸方向の圧力を加える。
【００２３】
また、ケース２は、各閉止要素３１の軸部３２を保持すると共に軸方向に案内する開口部４１を備えた支持プレート４０を有している。対応する閉止要素３１の軸部３２を心出しするために開口部４１と同軸にプレートの下側にリング４２が固定されている。従って、ユーザーの手によって頭部３３に力Ｆが加えられた結果、軸部３２が軸方向に変位すると（図３参照）、軸部３２は開口部４１内で摺動してリング４２に入り、このため、軸部３２は傾かない。これにより、液体石鹸を図３の矢印Ｓに沿って適切に放出することができる。ばね３４は、第一に支持プレート４０と対向する頭部３４の表面３５に当接すると共に、第二に支持プレート４０の表面４５に当接している。
【００２４】
図５は、液体石鹸分配手段の分散状態を示す。従って、第１半体シェル１０の外側表面ｌｌには、十字状に分散された４個の出口オリフィス１２が設けられている。支持プレート４０自体が十字形状であり、各腕部の先端には、出口オリフィス１２と同軸の貫通開口部４１が設けられている。
【００２５】
図６は、第１半体シェル１０の断面図であり、その内側表面１５に中央ソケット５０が設けられている。このソケットは、固定ねじ５５（図１）を保持するための雌ねじ５１を有している。この固定ねじ５５はケースの外側から接近可能であると共に、２個の半体シェル１０及び２０を漏れがない状態で相互に固定することを可能にする。また、ソケット５０は、その自由端部５２に２個の突起５３を有し、この突起５３は、前記ソケットを心出しすると共に所定位置に保持することを可能にするために、支持プレート４０に設けられた凹部４３（図５）と係合している。第２のシェル２０自体は、その内側表面２５から突出する別のソケット７０を有している。支持プレート４０はソケット５０と７０の間で強固に固定され、ソケット５０と７０は、固定ねじ５５によって互いに近づく方向に押されている。
【００２６】
図７で見られるように、本発明の液体石鹸ディスペンサーを再充填できるように漏れの無い充填蓋８０が第２半体シェル２０に設けられている。
【００２７】
図８〜図１０に示す変形例では、各閉止要素３１の軸部３２が、ケース２の内側で第２半体シェル２０の内側表面２５から突出している中空のソケット６０内で軸方向に摺動する。ソケット６０の自由端部６２と、この自由端部と対向する頭部３３の表面３５との間で圧縮バネ３４が圧縮されている。
【００２８】
また、第２半体シェル２０の内側表面２５は、第１半体シェル１０の内側表面１５から突出するソケット５０と同軸の、ケース２から突出する中央ソケット７０を有している。ソケット５０は、多角形内側断面を有する自由端部５３と、この端部と反対側の部分５１とを有しており、この部分５１には、固定ねじ５５を保持するためにねじが形成されている。ソケット７０は、ソケット５０の端部５３と摺動可能に係合する多角形外側断面を有する自由端部７３を有する。この固定ねじはソケット７０を通るすべての道を通る。
【００２９】
また、第２半体シェル２０の外側表面２１は、ケース２の外側に開口する収容部２６をソケット７０と連続して有している。ねじ５５の頭部５７が、第２半体シェル２０の外側表面２１から突出することなくこの収容部２６に保持されている。収納部２６も、取外し可能な蓋２７で閉止されている。
【００３０】
図１１に示す別の実施形態によれば、閉止要素３１はシリンダーの形状を有しており、このシリンダーは、出口オリフィス１２の周囲表面１３に当接するのに適した丸みのある頭部３７と筒部３６とを有している。圧縮バネ３４は筒部３６に収容されると共に、第２半体シェル２０の内側表面２５から突出するソケット６０内に心出しされた状態で保持されている。
【００３１】
ユーザーの手が頭部３７に押し付けられると、筒部３６はソケット６０に沿って軸方向に摺動し、圧縮バネ３４が徐々に圧縮される。これにより、図３に示す実施形態と同様に、液体石鹸の出口通路が閉止要素３１の頭部３６と出口オリフィス１２の周囲表面１３との間に形成される。
【００３２】
図１２に示す閉止要素３１の別の実施形態によれば、閉止要素３１は金属ボール３９を含んでいる。このボール３９は、出口オリフィス１２の周囲表面１３に当接している第１の部分３９ａと、中空ピストン９０の半球部分９２の上に乗っている第２の部分３９ｂとを有している。中空ピストン９０は、第２半体シェル２０の内側表面２５から突出するソケット６０を摺動可能に包囲している。また、中空ピストン９０は圧縮バネ３４の上に乗っている。この圧縮バネ３４は、ソケット６０内に心出しされた状態で収容されると共に、出口オリフィス１２の周囲表面１３に対してボール３９を押し付けるためにボール３９に軸方向の圧力を加えている。
【００３３】
従って、ユーザーの手がボール３９に押し付けられると、液体石鹸の出口通路を形成するためにボール３９は軸方向に移動してケース２内に入る。圧力が取り除かれると、出口オリフィス１２を閉止して石鹸の流出を防ぐために、圧縮バネ３４の復元力によりボール３９が出口オリフィス１２の周囲表面１３に対して漏れが無い状態で押し付けられる。
【００３４】
ボール３９は、ケース２に収容されている液状のマッサージ用製品と協働してマッサージ機能を果たすのに適した寸法であることが有利である。
【００３５】
図１３〜図１５は、この実施形態の変形例を示す。即ち、上側の半体シェル１０の矢印Ａ方向に沿って見た内部図である図１３で見ることができるように、ディスペンサー１は丸みのある断面を有するパック（puck）の形状であり、単一の円に沿って例えば１２０°の等角度間隔で円形に配置された３個の閉止要素３１を有する。各閉止要素３１はボール３９を有し、このボールの第１部分３９ａは、出口オリフィス１２の周囲表面１３に当接すると共に半体シェル１０の外側表面から僅かに突出しており、第２部分３９ｂは、座部を形成する中空ピストン９０の上側半球部分９２の上に乗っている。
【００３６】
中空ピストン９０は、第２半体シェル２０の内側表面２５から突出するソケット６０を摺動可能に包囲している。また、中空ピストン９０は圧縮バネ３４の上に乗っている。この圧縮バネ３４は、ソケット６０内に心出しされた状態で収容されていると共に、出口オリフィス１２の周囲表面１３に対してボール３９を押し付けるためにボール３９に軸方向の圧力を加えている。
【００３７】
中空ピストン９０の上側半球部分９２は、ばね３４と同軸の中央オリフィス９２ａを更に有し、ボール３９の自転を可能にしている。また、このオリフィス９２ａは、ボールが座部９２上で回転した時に、ソケット６０内に存在する石鹸でボールを被覆すことを可能にする。
【００３８】
従って、ユーザーがボール３９に手をこすり付けて押すと、ボールは僅かに軸方向に移動してケース２内に入り、オリフィス１２に液体石鹸のための出口通路が形成される。更に、ボール３９は、座部９２に乗った状態で自転し、その周囲表面に石鹸を運ぶ。圧力が取り除かれると、出口オリフィス１２を閉止して石鹸の漏れを防ぐために、圧縮バネ３４の復元力によりボール３９が出口オリフィス１２の周囲表面１３に対して漏れが無い状態で押し付けられる。
【００３９】
また、本実施形態によるディスペンサー１には、閉止要素３１を含む面と反対側の面の中心に配置された充填蓋が設けられている。
【００４０】
言うまでもなく、例示のみを目的とする本発明の主題の詳細な記載は如何なる限定も構成するものでなく、また、技術的均等物も本発明の範囲に含まれるものである。
【００４１】
従って、分配手段３０の数は限定されることはなく、また、分配手段３０を一方の半体シェル上に分散させて設けるか又は両方の半体シェルに同時に分散させて設けるかも限定されない。
【００４２】
閉止要素の形態も、出口オリフィスの周囲表面１３と共に漏れを防止できる限り、変更してもよい。
【００４３】
２個の半体シェルのための固定ねじは、半体シェルが分離することを防ぐために後で所定の位置で溶接することもできる。或いは、超音波、高周波又は摩擦を利用した技術により半体シェルを、例えば、それらの接合面で互いに直接溶接することもできる。
【００４４】
ボールは、例えば、成形プラスチック、金属又はガラス等の種々の材料から作ることができる。
【符号の説明】
【００４５】
１  ディスペンサー
２  ケース
１２  出口オリフィス
３０  流体分配手段
３１  閉止弁
３４  圧縮バネ
３９  ボール
６０  ソケット
【図１】
2010526622.tif 000003
【図２】
2010526622.tif 000004
【図３】
2010526622.tif 000005
【図４】
2010526622.tif 000006
【図５】
2010526622.tif 000007
【図６】
2010526622.tif 000008
【図７】
2010526622.tif 000009
【図８】
2010526622.tif 000010
【図９】
2010526622.tif 000011
【図１０】
2010526622.tif 000012
【図１１】
2010526622.tif 000013
【図１２】
2010526622.tif 000014
【図１３】
2010526622.tif 000015
【図１４】
2010526622.tif 000016
【図１５】
2010526622.tif 000017
【国際調査報告】
2010526622.tif 000018
2010526622.tif 000019
2010526622.tif 000020
2010526622.tif 000021
2010526622.tif 000022
2010526622.tif 000023